【事件の表示】
　特願２０１２−２４６２９３「漸次的に解像度を増加させて１以上の生物学的サンプルの観察及び分析のための方法及びその方法のための装置」拒絶査定不服審判事件〔平成２５年　４月１１日出願公開、特開２０１３−　６４７４３〕について、次のとおり審決する。
【結　論】
　本件審判の請求は、成り立たない。
【理　由】
第１　手続の経緯
　本願は、２００６年（平成１８年）９月２９日（パリ条約による優先権主張外国庁受理２００５年９月２９日、米国）を国際出願日とする出願である特願２００８−５３３７２７号の一部を平成２４年１１月８日に新たな特許出願としたものであって、平成２６年４月７日付けで拒絶査定がなされ、これに対して、同年８月１５日に拒絶査定不服審判の請求がなされ、それと同時に手続補正がなされた。
　その後、当審において、平成２７年８月１２日付けで拒絶理由の通知がなされ、これに対して、平成２８年２月１７日付けで意見書及び手続補正書が提出されたものである。
第２　本願発明
　本願の請求項１ないし２６に係る発明は、平成２８年２月１７日になされた手続補正により補正された特許請求の範囲の請求項１ないし２６に記載された事項により特定されるとおりのものであり、そのうちの請求項２０に係る発明（以下「本願発明」という。）は、請求項２０に記載されている事項により特定される次のとおりのものである。　
「　解剖学的構造の分析又は図示のうちの少なくとも１を行なうための装置であって、以下の：
　　解剖学的構造を含む対象内に配置され、そして上記解剖学的構造に関連する第一情報を作成するために、解剖学的構造に光を進めるように構成された、少なくとも１の第一生成要素、ここで当該第一情報が画像を伴い、そして表示用の画像よりも高い解像度を含んでおり；
　　in vivoで、上記解剖学的構造から上記第一情報を受容し、そして当該第一情報に基づいて、上記解剖学的構造の少なくとも１の区分を選択して、上記第一情報の少なくとも一部である第二情報を作成するように構成された少なくとも１の第二処理要素；そして
　　上記第二情報に基づいて上記解剖学的構造の表示倍率を漸次的に変更するように構成される少なくとも１の第三処理要素
　を含む、前記装置。」　
第３　当審の平成２７年８月１２日付け拒絶理由の概要
　当審の平成２７年８月１２日付け拒絶理由の概要は、次のとおりである。
　本願の請求項７ないし９、１８、１９、２１、２４及び２６に係る発明は明確でなく、特許請求の範囲の記載が特許法第３６条第６項第２号に規定する要件を満たしておらず、また、本願の請求項１ないし２６に係る発明は、その優先日前に日本国内又は外国において頒布された刊行物である特開２００１−３４０２９２号公報（以下「引用文献１」という。）又はROBB,R.A.“Virtual endoscopy: development and evaluation using the Visible Human Datasets”, Computerized Medical Imaging and Graphics, Volume 24, Issue 3,2000年5月, Pages 133-151に記載された発明に基いて、その優先日前にその発明の属する技術の分野における通常の知識を有する者が容易に発明をすることができたものであるから、特許法第２９条第２項の規定により特許を受けることができない。
第４　引用文献記載の事項　
１　引用文献１には、次の事項が記載されている（下線は当審において付加したものである。）。
（１）「【０００１】
【発明の属する技術分野】本発明は、ビデオスコープとプロセッサとを備え、人体の臓器内の画像をＴＶ用モニタに表示することができる電子内視鏡装置に関する。特に、本発明は、観察画像の特定部分を拡大表示することが可能な拡大電子内視鏡装置に関する。」
（２）「【０００５】そこで、本発明は、撮像素子の画素を効果的に利用することにより、解像度を低下させることなく観察画像の特定部分を電気的に拡大表示することができる電子内視鏡装置およびそのシステムを得ることを目的とする。」
（３）「【０００６】
【課題を解決するための手段】本発明の
電子内視鏡装置は、撮像素子を有するスコープと、スコープが着脱自在に接続されるプロセッサと、プロセッサに接続されるとともに被写体像を表示する表示装置とを備える。
撮像素子に形成され、撮像素子の全画素によって構成される全画素被写体像に基づいて、表示装置へ表示するための表示被写体像を形成する表示被写体像形成手段と、表示被写体像に応じた画像信号を映像信号に変換し、その映像信号を表示装置へ出力する信号処理手段とを備える。表示被写体像形成手段は、表示被写体像として、全画素被写体像の解像度が変換された被写体像であって、撮像素子の全画素より少ない画素数で構成される通常表示被写体像を形成する通常表示被写体像形成手段を有する
解像度が変換された被写体像が表示装置に表示される。
表示被写体像形成手段は、表示装置に表示される通常表示被写体像の一部を拡大表示する場合、表示被写体像として、全画素被写体像の一部であって、全画素被写体像の画像領域の一部である部分領域内に位置する画素によって構成される拡大表示被写体像を形成する拡大表示被写体像形成手段を有する
【０００７】スコープ内にある撮像素子の画素数は、表示装置のカラーテレビジョン方式に応じた有効画素数より多いことが望ましい。この場合、有効画素数以下の画素数で通常表示被写体像が構成される。有効画素数以上の画素数を有する撮像素子が使用されれば、通常表示において有効画素数に近い画素数で通常表示被写体像を構成し、また、拡大表示においても、有効画素数に近い画素数で拡大表示被写体像を構成することができ、通常表示、拡大表示ともに高画質の被写体像を得ることができる。好ましくは、通常表示被写体像を構成する画素数は、部分領域内の画素数と略等しい。なお、有効画素数とは、表示装置に従った撮像素子の使用可能な画素数であり、例えば、ＮＴＳＣ方式の場合、約４１万画素である。」
（４）「【００１０】電子内視鏡装置は、
表示装置に表示される通常表示被写体像の注目部位を指示するための指示マークが表示装置に表示されるように、指示マークに応じたキャラクタ信号を生成して映像信号とともに表示装置へ出力する指示マーク生成手段を有する
指示マークの位置を移動させる移動キーを設けており
通常表示被写体像から拡大表示被写体像への切り替えを実行するための切替キーが設けられ
切替キーに対する操作に応じて、通常表示被写体像から拡大表示被写体像へ切り替える表示状態切替手段を有する
オペレータは、指示マークを移動させながら被写体像の注目部位の場所を指示マークで示すことができる。
【００１１】あるいは、キーボードの代わりに、タッチパネルを表示装置の画面上に配置してもよい。タッチパネルは、プロセッサに接続されており、タッチパネルの触れた位置に対応する表示装置の画面上の位置情報をプロセッサへ送る。そして、通常表示被写体像の注目部位を指示するためにオペレータがタッチパネルを触れると、触れられたタッチパネル上の位置に対応する表示装置の指示位置がプロセッサへ送られる。タッチパネルが配置される場合、電子内視鏡装置は、オペレータによるタッチパネルへの接触に応じて、通常表示被写体像から拡大表示被写体像へ切り替える表示状態切替手段を有することが望ましい。
【００１２】好ましくは、
通常表示被写体像から拡大表示被写体像へ切り替えられる場合、指示位置を中心として通常表示被写体像の一部が拡大表示される。
（５）「【００２４】電子内視鏡装置は、スコープ１０とプロセッサ２０およびテレビ用モニタ（表示装置）５０から構成されており、プロセッサ２０にはテレビ用モニタ５０が接続されている。
スコープ１０は、
検査などを行う場合、
人体の臓器内へ挿入される。
【００２５】ハロゲンランプなどの
光源２９から放射された光は、
ライトガイド１３は、光源２９から放射された光をスコープ１０の接続端から先端（遠位端）へ導く
スコープ１０の遠位端から出射する。
観察部位Ｓに光が照射される。
【００２６】観察部位Ｓに光が照射されると、
観察部位Ｓにより反射された光がスコープ１０内の対物レンズ１１を通る。
被写体像がＣＣＤ（撮像素子）１２に結像される。
光電変換により、
アナログの画像信号（電荷）が各画素毎に発生する。
（６）「【００２８】被写体像を動画像としてモニタ５０に表示する
通常表示状態
（７）「【００３６】キーボード５１（入力装置）では、オペレータによって患者情報などのデータが入力される。通常表示状態では、図２に示すように、モニタ５０においてポインタＰが必要に応じて表示され、ポインタＰが指示する画面上での場所（指示位置）を変更するためにポインタＰを移動させる操作がキーボード５１上で行われる。
【００３７】キーボード５１上に設けられた
移動キー５１Ｅが操作されると、
ポインタＰは、操作された移動キー５１に従った方向へ移動する。
ポインタＰが所定の位置に表示された状態でファンクションキー５１Ｆが操作されると、ポインタＰが指していた被写体像の一部を拡大した被写体像（拡大表示被写体像）が
表示される
【００３８】なお、キーボード５１の操作によるポインタＰの位置の移動に関しては、従来知られているように、被写体像が表示されている画像領域ＮＡ内に常に収まるように（枠から外れないように）ポインタＰが移動する。そのため、システムコントロール回路３４では、位置メモリ３５に格納されている接続されたスコープ１０に応じた画像領域ＮＡのデータとキーボード５１から送られてくるポインタＰの移動に関する信号に基づいて、ポインタＰが移動する。」
（８）「【００４７】このような
間引き処理を、ＣＣＤ１２に形成される、
全画素数で構成される被写体像（全画素被写体像）に対して施すことにより、
解像度が変換された被写体像が形成される。
（９）「【００５３】画面上において
ポインタＰの指示した位置を中心として通常表示における被写体像の一部を拡大表示するため、画素Ｐ
ｃ
を中心として部分領域ＰＩを定める。
この部分領域ＰＩ内に位置するすべての画素によって構成される像を拡大表示の被写体像（拡大表示被写体像）とする。
（１０）「【００５５】そして、上述したように、部分領域ＰＩ内にある画素に発生する画像信号がＣＣＤ１２から読み出されることにより、拡大表示の被写体像がモニタ５０の領域ＭＡに表示される。」
２　引用文献１に記載された発明の認定
　上記１（１）ないし（１０）を含む引用文献１全体の記載を総合すると、引用文献１には、
「　撮像素子を有するスコープと、スコープが着脱自在に接続されるプロセッサと、プロセッサに接続されるとともに被写体像を表示する表示装置とを備える電子内視鏡装置であって、
　光源２９から放射された光をスコープの接続端から先端（遠位端）へ導くライトガイド１３を備え、検査を行う場合、スコープは人体の臓器内へ挿入されるものであり、
　撮像素子に形成され、撮像素子の全画素によって構成される全画素被写体像に基づいて、表示装置へ表示するための表示被写体像を形成する表示被写体像形成手段と、表示被写体像に応じた画像信号を映像信号に変換し、その映像信号を表示装置へ出力する信号処理手段とを備え、
　表示被写体像形成手段は、表示被写体像として、全画素被写体像の解像度が変換された被写体像であって、撮像素子の全画素より少ない画素数で構成される通常表示被写体像を形成する通常表示被写体像形成手段と、表示装置に表示される通常表示被写体像の一部を拡大表示する場合、表示被写体像として、全画素被写体像の一部であって、全画素被写体像の画像領域の一部である部分領域内に位置する画素によって構成される拡大表示被写体像を形成する拡大表示被写体像形成手段とを有し、
　表示装置に表示される通常表示被写体像の注目部位を指示するための指示マークが表示装置に表示されるように、指示マークに応じたキャラクタ信号を生成して映像信号とともに表示装置へ出力する指示マーク生成手段と、指示マークの位置を移動させる移動キーと、通常表示被写体像から拡大表示被写体像への切り替えを実行するための切替キーと、切替キーに対する操作に応じて、通常表示被写体像から拡大表示被写体像へ切り替える表示状態切替手段とを有し、
　オペレータは、指示マークを移動させながら被写体像の注目部位の場所を指示マークで示すことができ、
　通常表示被写体像から拡大表示被写体像へ切り替えられる場合、指示位置を中心として通常表示被写体像の一部が拡大表示される電子内視鏡装置。」
の発明（以下「引用発明」という。）が記載されている。
第５　本願発明と引用発明との対比
　
１　対比　
　
　本願発明と引用発明とを対比する。　
　
（１）
ア　引用発明の「臓器」は、本願発明の「解剖学的構造」に相当する。
イ　引用発明が「臓器」を「被写体」とするものであることは明らかである。
ウ　引用発明の「被写体像を表示する」ことは、本願発明の「図示」に相当する。
エ　引用発明の「電子内視鏡装置」は、本願発明の「装置」に相当する。
オ　上記アないしエを踏まえると、引用発明の「被写体像を表示する表示装置」を「備える電子内視鏡装置」は、本願発明の「解剖学的構造の分析又は図示のうちの少なくとも１を行なうための装置」に相当する。
（２）
ア　引用発明の「撮像素子の全画素によって構成される全画素被写体像」が、「臓器」に関連するものであり、画像を伴うものであることは明らかである。
イ　引用発明の「通常表示被写体像」は、本願発明の「表示用の画像」に相当する。
ウ　引用発明の「通常表示被写体像」は、「全画素被写体像の解像度が変換された被写体像であって、撮像素子の全画素より少ない画素数で構成される」ものであるから、引用発明において、「全画素被写体像」が「通常表示被写体像」よりも高い解像度を含んでいることは明らかである。
エ　上記アないしウを踏まえると、引用発明の「撮像素子の全画素によって構成される全画素被写体像」、そして「全画素被写体像の解像度が変換された被写体像であって、撮像素子の全画素より少ない画素数で構成される通常表示被写体像」が「形成」されることは、本願発明の「解剖学的構造に関連する第一情報」、「ここで当該第一情報が画像を伴い、そして表示用の画像よりも高い解像度を含んで」いること相当する。
（３）
ア　引用発明の「人体」は、本願発明の「対象」に相当する。
イ　引用発明において、「スコープ」の「先端（遠位端）へ導」かれた「光」が、「臓器」に照射されることは明らかである。
ウ　上記ア及びイを踏まえると、引用発明の「検査を行う場合」、「人体の臓器内へ挿入される」「スコープ」に「備えられ」、「光をスコープの接続端から先端（遠位端）へ導くライトガイド１３」は、本願発明の「解剖学的構造を含む対象内に配置され」、「解剖学的構造に光を進めるように構成された、少なくとも１の第一生成要素」に相当する。
（４）
ア　引用発明において、「ライトガイド１３」が、「被写体」である「臓器」の「全画素被写体像」を得るために「スコープの接続端から先端（遠位端）」へ「光」を「導く」ことは明らかである。
イ　上記ア並びに上記（２）及び（３）を踏まえると、引用発明の「検査を行う場合」、「人体の臓器内へ挿入される」「スコープ」に「備えられ」、「光をスコープの接続端から先端（遠位端）へ導くライトガイド１３」、そして、「撮像素子の全画素によって構成される全画素被写体像」が「撮像素子に形成され」、「全画素被写体像の解像度が変換された被写体像であって、撮像素子の全画素より少ない画素数で構成される通常表示被写体像」が「形成」されることは、本願発明の「解剖学的構造を含む対象内に配置され、そして上記解剖学的構造に関連する第一情報を作成するために、解剖学的構造に光を進めるように構成された、少なくとも１の第一生成要素、ここで当該第一情報が画像を伴い、そして表示用の画像よりも高い解像度を含んで」いることに相当する。
（５）
ア　引用発明の「撮像素子」は、「検査を行う場合」、「人体の臓器内へ挿入される」「スコープ」に備えられていることから、引用発明において、「撮像素子に形成され」る「撮像素子の全画素によって構成される全画素被写体像」が人体内で形成されることは明らかである。
　よって、上記（２）エを踏まえると、引用発明の「撮像素子の全画素によって構成される全画素被写体像」が「撮像素子に形成され」ることは、本願発明の「in vivoで、上記解剖学的構造から上記第一情報を受容」することに相当する。
イ　引用発明の「全画素被写体像の一部であって、全画素被写体像の画像領域の一部である部分領域内に位置する画素によって構成される拡大表示被写体像」は、本願発明の「第一情報の少なくとも一部である第二情報」に相当する。
ウ　引用発明の「通常表示被写体像」は「全画素被写体像の解像度が変換された被写体像」であるから、「全画素被写体像」に基づいたものである。
　よって、引用発明が「表示装置に表示される通常表示被写体像の注目部位を指示するための指示マークが表示装置に表示されるように、指示マークに応じたキャラクタ信号を生成して映像信号とともに表示装置へ出力する指示マーク生成手段と、指示マークの位置を移動させる移動キー」とを有し、「オペレータは、指示マークを移動させながら被写体像の注目部位の場所を指示マークで示す」ことは、本願発明の「第一情報に基づいて、上記解剖学的構造の少なくとも１の区分を選択」することに相当する。
エ　上記アないしウを踏まえると、引用発明の「撮像素子の全画素によって構成される全画素被写体像」が「形成され」る「撮像素子」、「オペレータ」が「指示マークを移動させながら被写体像の注目部位の場所を指示マークで示すことができ」るようにする「表示装置に表示される通常表示被写体像の注目部位を指示するための指示マークが表示装置に表示されるように、指示マークに応じたキャラクタ信号を生成して映像信号とともに表示装置へ出力する指示マーク生成手段と、指示マークの位置を移動させる移動キー」、及び、「全画素被写体像の一部であって、全画素被写体像の画像領域の一部である部分領域内に位置する画素によって構成される拡大表示被写体像を形成する拡大表示被写体像形成手段」は、本願発明の「in vivoで、上記解剖学的構造から上記第一情報を受容し、そして当該第一情報に基づいて、上記解剖学的構造の少なくとも１の区分を選択して、上記第一情報の少なくとも一部である第二情報を作成するように構成された少なくとも１の第二処理要素」に相当する。
（６）引用発明の「通常表示被写体像から拡大表示被写体像へ切り替える表示状態切替手段」と、本願発明の「上記第二情報に基づいて上記解剖学的構造の表示倍率を漸次的に変更するように構成される少なくとも１の第三処理要素」とは、「第二情報に基づいて解剖学的構造の表示倍率を変更するように構成される少なくとも１の第三処理要素」である点において共通する。
２　一致点及び相違点
　よって、本願発明と引用発明とは、
「　解剖学的構造の分析又は図示のうちの少なくとも１を行なうための装置であって、以下の：
　　解剖学的構造を含む対象内に配置され、そして上記解剖学的構造に関連する第一情報を作成するために、解剖学的構造に光を進めるように構成された、少なくとも１の第一生成要素、ここで当該第一情報が画像を伴い、そして表示用の画像よりも高い解像度を含んでおり；
　　in vivoで、上記解剖学的構造から上記第一情報を受容し、そして当該第一情報に基づいて、上記解剖学的構造の少なくとも１の区分を選択して、上記第一情報の少なくとも一部である第二情報を作成するように構成された少なくとも１の第二処理要素；そして
　　上記第二情報に基づいて上記解剖学的構造の表示倍率を変更するように構成される少なくとも１の第三処理要素
　を含む、前記装置。」
の発明である点で一致し、次の点で相違する。
（相違点）
　第三処理要素による表示倍率の変更が、本願発明においては、「漸次的」であるのに対し、引用発明においては、そのような特定がなされていない点。
第６　当審の判断
　
１　上記相違点について検討する。
　人体の臓器を画像により観察する際に、表示倍率を複数段階に変更可能とし、表示倍率を順次上げて、すなわち漸次的に変更して表示させることは、例を挙げるまでもなく、本願優先日前において周知である。
　よって、引用発明において、上記相違点に係る本願発明の発明特定事項のように構成することは、当業者が容易に想到しうることである。
２　本願発明の奏する作用効果
　本願装置発明によってもたらされる効果は、引用発明及び本願優先日前において周知な事項から当業者が予測し得る程度のものである。
　
３　まとめ
　以上のとおりであり、本願発明は、引用発明及び本願優先日前において周知な事項に基いて当業者が容易に発明をすることができたものである。
第７　むすび
　以上のとおりであるから、本願発明は、特許法第２９条第２項の規定により特許を受けることができない。
　したがって、その余の請求項に係る発明について論及するまでもなく、本願は拒絶すべきものである。
　よって、結論のとおり審決する。